(57)【要約】【課題】カードケースに形成された収納部に収納されるカードを挿脱移動させる際に、他方の面板とカードとが接触を簡単な構成で効果的に回避できるようにしたカードケースを提供する。【解決手段】一方の面板１には、保持されているカードＺの一部を表出させることによりカードＺを指で押圧して挿脱方向Ｐに操作することを可能にする窓１ｃを形成するとともに他方の面板２には、カードＺを指で押圧した際にカードＣとの接触を避ける湾曲した内面２ａ２を形成した。【選択図】図５
2004344261.tif 000002
【特許請求の範囲】
【請求項１】
一対の対向する面板の間に該面板の一端側を挿脱口とする扁平な収納空間を形成し、該収納空間にカードを挿入し保持するものであって、
一方の面板には、保持されているカードの一部を表出させることによりカードを指で押圧して挿脱方向に操作することを可能にする窓を形成するとともに、他方の面板には、カードを指で押圧した際に当該カードとの接触を避ける方向に湾曲した内面を形成していることを特徴とするカードケース。
【請求項２】
前記収納空間に挿入したカードを外部から視認可能なように透明若しくは半透明の素材で他方の面板を形成している請求項１記載のカードケース。
【請求項３】
全体が硬質合成樹脂にて一体成型されている請求項１又は２記載のカードケース。
【請求項４】
前記他方の面板の一端側縁部よりも前記一方の面板の一端側縁部を内方に形成し、挿脱口から延伸した当該他方の面板の裏面を挿脱口へのガイド面としている請求項１、２又は３記載のカードケース。
【請求項５】
一方の面板と他方の面板とを繋ぐ位置に連結壁を有し、この連結壁を他方の面板の裏面に設けた突出壁に連続させて、この突出壁の一部をも挿脱口へのガイド面としている請求項４記載のカードケース。
【請求項６】
前記挿脱口付近において、前記一方の面板を前記他方の面板に対して離反する方向に湾曲若しくは屈曲させ、これにより内空よりも挿脱口を大きく拡開させている請求項１、２、３、４又は５記載のカードケース。
【請求項７】
一対の対向する面板の間に該面板の一端側を挿脱口とする扁平な収納空間を形成し、該収納空間にカードを挿入し保持するものであって、
前記一対の対向する面板のうち少なくとも一方の面板は、湾曲した内面を形成していることを特徴とするカードケース。
【発明の詳細な説明】
【０００１】
【発明の属する技術分野】
本発明は、収納空間にカードを挿入し挿脱移動可能に保持するカードケースに関するものである。
【０００２】
【従来の技術】
従来より、カードをケース内部に収納し片手で簡単に挿脱ができるようなカードケースが種々考案されている。ここで、カードには、例えば、定期券や名刺、名札、ＩＤカード等が挙げられる。このようなカードケースは、平板状をなす一対の対向する面板の間に一端を挿脱口とする扁平な収納空間を形成し、この収納空間にカードを挿入し保持するのが通例である。一対の対向する面板の一方の面板には、収納されたカードを表出させるように窓を形成しており、形成された窓を介して収納されたカードを指先で押さえて挿脱方向に移動することが可能である。また、他方の面板は、透明若しくは半透明で形成されており、収納空間に保持されたカードが外部より視認可能なように構成されている（参考文献１参照）。
【０００３】
【特許文献１】実開昭５１−１５７４０９公報（第１図）
【０００４】
【発明が解決しようとする課題】
ところが、このような構成のものは、平板状をなす一対の面板の間に形成された収納空間が全体に狭くなっている。そのため、収納空間に収納されているカードを、一方の面板に形成された窓を介して指先で押さえて挿脱方向に移動し挿脱する際に、他方の面板の内面とカードとが接触しながら挿脱されて、カードに傷が付く不都合がある。特に、収納されるカードに会員番号等を表わす凸部が形成されている場合には、この凸部を傷付けてカード機能に支障が生じる場合があり、さらに、この凸部等が視認可能に形成された他方の面板の内面と接触するため、挿脱方向への移動を繰り返していると、他方の面板の内面に挿脱方向の傷が付いてしまう。したがって、カードの品質が低下するほか、このような傷によって収納空間に保持されているカードを外部から視認することが困難な状況に陥る恐れがある。また、カードを収納空間に挿入する際には、挿入のための別段のガイド等はカードケースに形成されていないため、狭い間口の挿脱口に直接カードを挿入しなければならず、カードケースの姿勢等によっては挿入し難い状況になる。
【０００５】
そこで本発明は、以上のような問題に鑑みて、指で押さえない態様のものも含め、カードケースに形成された収納空間に収納されるカードを挿脱移動させる際に、他方の面板とカードとの接触を簡単な構成で効果的に回避できるようにしたカードケースを提供することを主たる目的としている。
【０００６】
【課題を解決するための手段】
すなわち、本発明に係るカードケースは、一対の対向する面板の間に該面板の一端側を挿脱口とする扁平な収納空間を形成し、この収納空間にカードを挿入し保持するものあって、一方の面板には、保持されているカードの一部を表出させることによりカードを指で押圧して挿脱方向に操作することを可能にする窓を形成するとともに、他方の面板には、カードを指で押圧した際にカードとの接触を避ける湾曲した内面を形成していることを特徴とする。勿論、一方の面板にも、カードから離反する方向に湾曲する内面を形成しておいても構わない。
【０００７】
このようなカードケースであれば、一方の面板に形成された窓を介して収納空間に挿入されたカードの一部を指で押圧して挿脱方向に移動させた際に、他方の面板の内面が逃げる方向に湾曲した状態にあるため、カードをこれと接触させることがなくスムーズに挿脱移動させることが可能である。そして、挿脱移動させるカードにも傷がつきにくく、さらに、他方の面板の内面を傷付けることも防止することができる。
【０００８】
このような構成においては、他方の面板を透明若しくは半透明の素材で形成しておいても不都合は殆どない。当該他方の面板の内面に傷がつかないため、収納空間に挿入したカードに対する外部からの視認性が阻害されるおそれが低いからである。
【０００９】
特に、上記の構成は、硬質合成樹脂にて全体が一体成型されるカードケースに適用して有効な構成となる。一体成型のカードケースはスライド操作がつきまとうため、傷が付くことさえ防止できればコストダウンの面より望ましいからである。
【００１０】
また、カードケースに形成された収納空間にカードを挿入する際に、安定した状態でスムーズに挿入し、かつ、この収納空間よりカードを抜き取り、カードケースよりカードを取り出す際に容易に取り出しを可能とするためには、カードケースを形成する他方の面板の一端側縁部よりも一方の面板の一端側縁部を内方に形成し、挿脱口から延伸した当該他方の面板の裏面を挿脱口へのガイド面とすることが有効となる。
【００１１】
また、より安定した状態で容易にカードをカードケースに形成された収納空間に対して挿脱移動するためには、一方の面板と他方の面板とを繋ぐ位置に連結壁を有し、この連結壁を他方の面板の裏面に設けた突出壁に連続させて、この突出壁の一部をも挿脱口へのガイド面とすることが好適である。
【００１２】
カードケースの挿脱口付近において、前記一方の面板を前記他方の面板に対して離反する方向に湾曲若しくは屈曲させ、これにより内空よりも挿脱口を大きく拡開するように構成すれば、比較的無造作に操作しても挿入口へのカードの挿入が容易であり、また、収納空間から抜き取られたカードを指で摘む隙間ができるためカードを取り出す際に脱落することなく確実に取り出すことが可能である。
【００１３】
指で押さえるか否かは問わずに、カードやケースに傷がつくことを防止できるようにする観点からすれば、一対の対向する面板の間に該面板の一端側を挿脱口とする扁平な収納空間を形成し、該収納空間にカードを挿入し保持する構成において、前記一対の対向する面板のうち少なくとも一方の面板に、湾曲した内面を形成するようにすればよい。勿論、それが両方の面板であってもよいのは言うまでもない。
【００１４】
【発明の実施の形態】
以下、本発明の一実施形態を、図面を参照して説明する。
【００１５】
図１〜４に示すように、この実施形態に係るカードケースＸ１は、一方の面板１と他方の面板２とを対向配置して、適宜部位を連結壁３を介して連結し、両面板１、２間に長手方向の一端１ａ側を挿脱口１ａ１とする収納空間Ｓ１を形成したものであり、全体が半透明の硬質合成樹脂にて一体成型されている。
【００１６】
まず、一方の面板１は、平面視略長方形をなすものであって、長手方向の一端１ａ側を他端１ｂ側に湾曲する形状に形成し、さらに前記一端１ａ側の近傍に、折り線１ａ３を境に前記対向する他方の面板２に対して離反する方向に屈曲する挿脱領域１ａ２を形成し、これにより前記挿脱口１ａ１を大きく拡開させている。また、前記一方の面板１の中央部に、当該面板１の長手寸法の約４分の３の長さを有する長孔１ｃを形成している。この長孔１ｃは、前記折り線１ａ３よりも若干一端１ａ側に一端縁を有し、他端１ｂ側の近傍に他端縁を有し、この間を小半円弧１ｃ１と大半円弧１ｃ２とによって連ねた形状をなすものである。また、他端１ｂ側の上端部及び下端部に、係止爪１ｂ１を形成し、この係止爪１ｂ１の周囲３方は前記一方の面板１を貫通させた角孔１ｂ２によって開放しており、一端１ａ側でのみ一方の面板１と繋がっていて、当該係止爪１ｂ１を一方の面板１の厚み方向に弾性変形し易くしている。この係止爪１ｂ１は、対向する他方の面板２へ向けて突部１ｂ１１を有し、この突部１ｂ１１と他方の面板２との間にカードＺを挟んで保持する役割をなす。
【００１７】
これに対して、他方の面板２は、前記一方の面板１の一端側縁部１ｄよりも他方の面板２の一端側縁部２ｄを外方に延伸した長手寸法を有する平面視長方形をなしており、一方の面板１に対応する面板本体２ａと、長手方向に沿って前記面板本体２ａの一端側に連続して延伸する延伸部２ｂと、面板本体２ａの上端２ａ１側に連続する吊り下げ部２ｃとから構成される。前記面板本体２ａと延伸部２ｂは、略全域を膨出させて形成しており、その膨出形状は、長手方向の適宜部位における横断面が一方の面板１から離反する側に凸となる部分円弧状をなすものである。また、前記吊り下げ部２ｃは、面板本体２ａと延伸部２ｂとの全域に亘り上方へ向けて前記面板本体２ａの約４分の１程度の突出寸法をなし、長手方向に沿って吊り下紐（図示省略）を通すための長孔２ｃ１を３箇所に形成している。
【００１８】
また、連結壁３は、前記一方の面板１及び他方の面板２の各々対応する４辺のうち前記挿脱口１ａ１を除く３辺間を連結するもので、カードＺを収納するための収納空間Ｓ１は、実際には一方の面板１、他方の面板２の面板本体２ａ及びこの連結壁３によって囲まれる部位に形成される。前記面板本体２ａと延伸部２ｂとは、前述したように一方の面板１に対して膨出させて形成されていることから、面板本体２ａと延伸部２ｂは、内面２ａ２が前記一方の面板１に離反するように湾曲した形状をなす。さらに一方の面板１の下端１ｅ側と他方の面板２の下
端２ｅ側を繋ぐ連結壁３の延長線上において、前記延伸部２ｂの裏面２ｂ２に突出させて突出壁３ａを形成している。
【００１９】
このように構成された図５に示すカードケースＸ１は、前記収納空間Ｓ１にカードＺを挿入し保持する機能を備えたものとなり、前記カードＺを挿入する際は、前記他方の面板２に形成した延伸部２ｂの裏面２ｂ２を第１ガイド面２ｂ３とし、かつ、前記突出壁３ａの上面３ａ１を第２ガイド面３ａ２とし、これら第１ガイド面２ｂ３及び第２ガイド面３ａ２にカードＺの上下縁部を軽く接触させた状態で、指先で挿脱方向Ｐに移動させて収納空間Ｓ１に挿入することができるものである。そして、収納空間Ｓ１に挿入されたカードＺは、前記係止爪１ｂ１の突部１ｂ１１と前記面板本体２ａの内面２ａ２に押圧されて収納空間Ｓ１より抜け落ちることがないように保持される。また、カードＺを前記収納空間Ｓ１より抜き取る際は、前記一方の面板１に形成された長孔１ｃを介してカードＺを指先で押圧し、挿脱方向Ｐに移動操作する。そして、この際にも、前記第１ガイド面２ｂ３及び第２ガイド面３ａ２は、収納空間Ｓ１より抜き取られたカードＺが即座に脱落しないようにバックアップすることとなる。これらの操作の間、カードＺは樹脂等であれば指による押圧で撓った状態で何れの面板１、２とも摺れることなく移動することが可能である。
【００２０】
以上のように、本実実施形態におけるカードケースＸ１は、対向する一方の面板１と他方の面板２との間に一方の面板１の一端１ａ側を挿脱口１ａ１とする扁平な収納空間Ｓ１を形成し、この収納空間Ｓ１にカードＺを挿入し保持するものある。そして、一方の面板１に、保持されているカードＺの一部を表出させることによりカードＺを指で押圧して挿脱方向Ｐに操作することを可能にする長孔１ｃを形成するとともに、他方の面板２に、カードＺを指で押圧した際にカードＺとの接触を避けるように湾曲した内面２ａ２を形成したものである。
【００２１】
このようなカードケースＸ１であれば、一方の面板１に形成された長孔１ｃを介して収納空間Ｓ１に挿入されたカードＺの一部を指で押圧して挿脱方向Ｐに移動させた際に、他方の面板２が一方の面板１に離反するように湾曲しているためカードＺが他方の面板２と接触することがなくスムーズに挿脱方向Ｐへの移動が可能である。そして、挿脱方向Ｐへ移動させるカードＺに傷がつきにくく、さらに、他方の面板２の内面２ａ２及びガイド面２ｂ３に傷付けることも防止することができるため、頻繁にカードＺの出し入れを行なってもカードケースＸ１の損傷や収納機能の低下等を有効に解消することが可能となる。
【００２２】
また、このような構成であるから、他方の面板２を半透明の素材で形成しておいても不都合は殆どない。当該他方の面板２の内面２ａ２に傷がつかないため、収納空間Ｓ１に挿入したカードＺに対する外部からの視認性が阻害されることがなく、カードケースの外観に毀損を招く事態も生じ難いからである。したがって、長期に亘って外観を良好に保つことが可能になる。
【００２３】
また、このようにカードＺやカードケースＸに傷がつき難いため、面板１、２を別体で作って蝶番で開閉可能に連結するといったスライド以外の挿脱操作を可能にする構造を採用する必要もなく、硬質合成樹脂にてカードケース全体を一体成型してコストダウンを図ることができる。
【００２４】
そして、カードケースＸ１へのカードＺの挿脱方向Ｐへの移動において、カードケースＸ１を形成する他方の面板１の一端側縁部２ｄよりも他一の面板２の一端側縁部１ｄを内方に形成し、挿脱口１ａ１から延伸した延伸部２ｂの裏面２ｂ２を挿脱口１ａ１への第１ガイド面２ｂ３としているため、収納空間Ｓ１へのカードＺの挿脱移動が安定した状態でスムーズに行われ、カードケースＸ１よりカードＺを取り出す際にもカードＺの脱落を防止しつつ容易に取り出すことができる。
【００２５】
さらに、一方の面板１と他方の面板２との適宜部位の間を連結壁３を介して連結し、この連結壁３を前記伸延部２ｂの裏面２ｂ２に設けた突出壁３ａに連続させて、この突出壁３ａの上面３ａ１を挿脱口１ａ１への第２ガイド面３ａ２とすることができるので、挿脱方向と直交する方向に対してもカードＸを案内することができ、より安定したカードＺの挿脱移動を行うことができる。
【００２６】
さらにまた、カードケースＸ１の挿脱口１ａ１付近において、前記一方の面板１を前記他方の面板２に対して離反する方向に湾曲若しくは屈曲させ、これにより内空よりも挿脱口１ａ１を大きく拡開するように構成しているため、比較的無造作に操作しても挿入口１ａ１へのカードＺの挿入が容易であり、また、挿入口１ａ１を大きく拡開することにより収納空間Ｓ１から抜き取られたカードＺを指で摘む隙間ができるためカードＺを取り出す際も脱落させることなく確実に摘み出すことができる。
【００２７】
なお、本発明は上述した実施形態に限られるものではない。以下の説明において、特に説明を付していない場合は、上述の実施形態と同一の符号を用いる。
【００２８】
図６、図７に示すように、本変形例におけるカードケースＸ１０は、上述した実施形態と略同様に、対向する一対の面板１０、２のうち、他方の面板２を構成する面板本体２ａや延伸部２ｂが長手方向全域に亘り一方の面板２から離反する方向へ膨出した形状をなしているが、一方の面板１０も平板ではなくやはり他方の面板２に対して離反する方向に膨出させているものである。カードＺを収納するための収納空間Ｓ１０は、一方の面板１０、他方の面板２の面板本体２ａ、及び、両面板１０、２間を連結する連結壁３によって囲まれる部位に形成している。
【００２９】
このような構造のカードケースＸ１０であれば、上述した実施形態のカードケースＸ１と同様に収納空間Ｓ１０に挿入されるカードＺを挿脱方向Ｐに移動させた際に、一方の面板１０と他方の面板２とが相互に離反する方向へ膨出して形成されていることから、収納空間Ｓ１０を形成している他方の面板２の面板本体２ａとカードＺとの接触を防止することできるため、前記カードＺに傷がつきにくく、挿脱方向Ｐへの移動もスムーズである。また、一方の面板１０も膨出していることから、収納空間Ｓ１０内のカードＺをより摘み易くすることができるものである。
【００３０】
また、図８に示す変形例は、図６、図７と略同様の構成のものであるが、指で押さえるための窓を設けていない点で異なる。すなわち、このような構造であっても、収納空間Ｓ１０に収容したカードＸが面板１０、２に接触しない効果は得られるので、カードＸに傷がついてカード機能が毀損されたり、面板２に傷がついて視認性が低下するといった不都合を回避できる点で有用なものである。
【００３１】
さらに、上述した実施形態のカードケースＸ１においては、カードの挿脱方向を長手方向としているが、幅方向に沿って上端部側からとしても構わない。その際には、一方の面板１に形成されている長孔１ｃや係止爪１ｂ１を挿脱方向Ｐと同様の方向に向けて形成することによって可能となる。
【００３２】
その他、各部の具体的構成についても上記実施形態に限られるものではなく、本発明の趣旨を逸脱しない範囲で種々変形が可能である。
【００３３】
【発明の効果】
本発明は、以上説明したような形態で実施され、以下に記載されるような効果を奏する。
【００３４】
すなわち、本発明のカードケースであれば、一方の面板に形成されている窓を介してカードの一部を指で押圧して挿脱方向に移動させた際に、他方の面板の内面が逃げる方向に湾曲して形成されていることによって、他方の面板の内面にカードが接触することがなくスムーズに挿脱移動が可能である。そして、挿脱移動させるカードに傷がつきにくく、さらに、他方の面板の内面を傷付けることも防止することができる。
【図面の簡単な説明】
【図１】本実施形態に係るカードケースの正面図。
【図２】同背面図。
【図３】図１におけるＡ−Ａ断面図。
【図４】図１におけるＢ−Ｂ断面図。
【図５】本実施形態に係る全体斜視図。
【図６】本発明の変形例を示す斜視図。
【図７】図６におけるＣ−Ｃ断面図。
【図８】本発明の他の変形例を示す斜視図。
【符号の説明】
１、１０・・・一方の面板
１ａ・・・一端
１ａ１・・・挿脱口
１ｃ・・・窓（長孔）
１ｄ・・・一端側縁部
２・・・他方の面板
２ａ２・・・内面
２ｂ２・・・裏面
２ｂ３・・・ガイド面（第１ガイド面）
２ｄ・・・一端側縁部
３・・・連結壁
３ａ・・・突出壁
３ａ２・・・ガイド面（第２ガイド面）
Ｐ・・・挿脱方向
Ｓ１、Ｓ１０・・・収納空間
Ｘ１、Ｘ１０・・・カードケース
Ｚ・・・カード
【図１】
2004344261.tif 000003
【図２】
2004344261.tif 000004
【図３】
2004344261.tif 000005
【図４】
2004344261.tif 000006
【図５】
2004344261.tif 000007
【図６】
2004344261.tif 000008
【図７】
2004344261.tif 000009
【図８】
2004344261.tif 000010
【手続補正書】
【提出日】平成15年8月29日(2003.8.29)
【手続補正１】
【補正対象書類名】明細書
【補正対象項目名】００２４
【補正方法】変更
【補正の内容】
【００２４】
そして、カードケースＸ１へのカードＺの挿脱方向Ｐへの移動において、カードケースＸ１を形成する他方の面板２の一端側縁部２ｄよりも一方の面板１の一端側縁部１ｄを内方に形成し、挿脱口１ａ１から延伸した延伸部２ｂの裏面２ｂ２を挿脱口１ａ１への第１ガイド面２ｂ３としているため、収納空間Ｓ１へのカードＺの挿脱移動が安定した状態でスムーズに行われ、カードケースＸ１よりカードＺを取り出す際にもカードＺの脱落を防止しつつ容易に取り出すことができる。